(57)【要約】【課題】設定可能なＡＴＲが限定された場合であっても、最適な通信設定へと変更して後続する一連の処理を最適な通信設定の下に実施することが可能な通信システム、ＩＣカード、ＩＣカードの処理プログラム、及び通信方法を提供する。【解決手段】外部機器との間で通信可能なＩＣカードは、外部機器からリセット信号を受信すると、特定用途向け用の第１の通信設定情報を含む初期応答を該外部機器へ送信し、当該外部機器からＩＣカードの識別情報読出命令を受信すると、ＩＣカードの識別情報を該外部機器へ送信する。そして、ＩＣカードは、前記識別情報を受信した前記外部機器により該識別情報から通信設定変更が可能であると判定されたときに、該外部機器から前記初期応答に含まれる前記第１の通信設定情報とは異なる前記第２の通信設定情報を含む通信設定変更要求を受信すると、前記通信設定変更要求に含まれる前記第２の通信設定情報に従って通信設定を変更する。【選択図】図２
2014071528.tif 000002
【特許請求の範囲】
【請求項１】
外部機器との間で通信可能なＩＣカードを備える通信システムであって、
前記ＩＣカードは、
前記ＩＣカードの識別情報と、特定用途向け用の第１の通信設定情報とを予め記録する記録手段と、
前記外部機器からリセット信号を受信すると、前記第１の通信設定情報を含む初期応答を該外部機器へ送信する応答手段と、
前記初期応答を受信した前記外部機器からＩＣカードの識別情報読出命令を受信すると、前記ＩＣカードの識別情報を該外部機器へ送信する識別情報送信手段と、
を備え、
前記外部機器は、
前記ＩＣカードへ前記リセット信号を送信するリセット信号送信手段と、
前記ＩＣカードから前記初期応答を受信すると、前記ＩＣカードの識別情報読出命令を該ＩＣカードへ送信する読出命令送信手段と、
前記ＩＣカードから前記ＩＣカードの識別情報を受信すると、受信した該識別情報から通信設定変更の可否を判定する判定手段と、
前記判定手段により通信設定変更が可能であると判定された場合、前記初期応答に含まれる前記第１の通信設定情報とは異なる第２の通信設定情報を含む通信設定変更要求を前記ＩＣカードへ送信する変更要求送信手段と、
を備え、
前記ＩＣカードは、
前記外部機器から前記通信設定変更要求を受信すると、前記通信設定変更要求に含まれる前記第２の通信設定情報に従って通信設定を変更する変更手段を備えることを特徴とする通信システム。
【請求項２】
前記通信設定情報は、通信速度と通信プロトコルの少なくとも何れか一方の情報を示すことを特徴とする請求項１に記載の通信システム。
【請求項３】
外部機器との間で通信可能なＩＣカードであって、
前記ＩＣカードの識別情報と、特定用途向け用の第１の通信設定情報とを予め記録する記録手段と、
前記外部機器からリセット信号を受信すると、前記第１の通信設定情報を含む初期応答を該外部機器へ送信する応答手段と、
前記初期応答を受信した前記外部機器からＩＣカードの識別情報読出命令を受信すると、前記ＩＣカードの識別情報を該外部機器へ送信する識別情報送信手段と、
前記識別情報を受信した前記外部機器により該識別情報から通信設定変更が可能であると判定されたときに該外部機器から、前記初期応答に含まれる前記第１の通信設定情報とは異なる前記第２の通信設定情報を含む通信設定変更要求を受信すると、前記通信設定変更要求に含まれる前記第２の通信設定情報に従って通信設定を変更する変更手段と、
を備えることを特徴とするＩＣカード。
【請求項４】
外部機器との間で通信可能なＩＣカードであって、前記ＩＣカードの識別情報と特定用途向け用の第１の通信設定情報とを予め記録するＩＣカードに含まれるコンピュータに、
前記外部機器からリセット信号を受信すると、前記第１の通信設定情報を含む初期応答を該外部機器へ送信するステップと、
前記初期応答を受信した前記外部機器からＩＣカードの識別情報読出命令を受信すると、前記ＩＣカードの識別情報を該外部機器へ送信するステップと、
前記識別情報を受信した前記外部機器により該識別情報から通信設定変更が可能であると判定されたときに該外部機器から、前記初期応答に含まれる前記第１の通信設定情報とは異なる前記第２の通信設定情報を含む通信設定変更要求を受信すると、前記通信設定変更要求に含まれる前記第２の通信設定情報に従って通信設定を変更するステップと、
を実行させることを特徴とするＩＣカードの処理プログラム。
【請求項５】
外部機器との間で通信可能なＩＣカードであって、前記ＩＣカードの識別情報と特定用途向け用の第１の通信設定情報とを予め記録するＩＣカードを備える通信システムにおける通信方法であって、
前記外部機器が、前記ＩＣカードへリセット信号を送信するステップと、
前記ＩＣカードが、前記外部機器から前記リセット信号を受信すると、前記第１の通信設定情報を含む初期応答を該外部機器へ送信するステップと、
前記外部機器が、前記ＩＣカードから前記初期応答を受信すると、前記ＩＣカードの識別情報読出命令を該ＩＣカードへ送信するステップと、
前記ＩＣカードが、前記外部機器からＩＣカードの識別情報読出命令を受信すると、前記ＩＣカードの識別情報を該外部機器へ送信するステップと、
前記外部機器が、前記ＩＣカードから前記ＩＣカードの識別情報を受信すると、受信した該識別情報から通信設定変更の可否を判定するステップと、
前記外部機器が、前記通信設定変更が可能であると判定した場合、前記初期応答に含まれる前記第１の通信設定情報とは異なる第２の通信設定情報を含む通信設定変更要求を前記ＩＣカードへ送信するステップと、
前記ＩＣカードが、前記外部機器から前記通信設定変更要求を受信すると、前記通信設定変更要求に含まれる前記第２の通信設定情報に従って通信設定を変更するステップと、
を含むことを特徴とする通信方法。
【発明の詳細な説明】
【技術分野】
【０００１】
本発明は、外部機器との間で低速通信と高速通信との何れかを選択して設定可能なＩＣカードの技術分野に関する。
【背景技術】
【０００２】
従来から、低速通信と高速通信との何れかを選択して設定可能なＩＣカードが知られている。このようなＩＣカードの初期応答情報であるＡＴＲ(Answer To Reset)は、国際規格ISO/IEC 7816-3によって定義されている。これは主に通信プロトコルに関するＩＣカードの性能を表しており、ＩＣカードの対向機器である端末等の外部機器がＡＴＲに記載されたＩＣカードの性能に合わせて通信プロトコルを変更する際に使用される。
【０００３】
例えば、特許文献１に開示されたＩＣカードでは、低速通信プロトコルで通信する低速インターフェイスと、高速通信プロトコルで通信する高速インターフェイスとを備えており、低速インターフェイスを通して外部機器からリセット信号を受信した場合に、当該リセット信号に応じて高速通信プロトコル情報を含むＡＴＲを低速通信で外部機器へ送信するようになっている。これにより、ＩＣカードは、高速通信プロトコル情報に応じて外部機器から、高速通信への設定変更の要求を受信すると、低速通信から高速通信に設定変更、つまり、通信速度を変更し、その後は外部機器との間で高速通信を行う。
【０００４】
ところで、ISO/IEC 7816-3に準拠したＩＣカードであれば、必ずＡＴＲを応答するため、たとえ通信速度を変更する必要のない特定用途向けに作られたシステムであっても、ＩＣカードはＡＴＲを応答しなければならない。特定用途向けに作られたシステムではＡＴＲが限定されるため、外部機器によっては特定のＡＴＲのみをサポート対象とし、それ以外のＡＴＲを異常として扱うように、特定のＡＴＲのみが有効な値として設定されることも少なくない。
【０００５】
一方で、暗号解読技術の進歩により、ＩＴシステムは高いセキュリティレベルを要求されつつある。強固なＩＴシステムを実現するために、そのセキュリティを司る暗号鍵の長さも次第に伸長され、それに伴って通信データ量も拡大の一途を辿っている。大量のデータをストレスなく送受信するためには、通信速度を高めて、瞬時に大量のデータを交換する必要がある。高速な通信は、接続された双方の機器が高速通信可能な機能を備えていなければ実現できず、片方だけが備えていたとしても実現できるものではない。そのため、不特定多数の機器が相互に接続されるＩＴシステムにおいて高速データ転送を実現し、かつ、いずれの機器も支障なく通信できることを保証するためには、それぞれの機器の起動時にはいかなる機器が相手であっても動作可能な通信速度に設定しておき、高速通信機能を持った機器同士が接続されていることを認識した後に高速な通信を開始するような通信規約が必要となる。
【先行技術文献】
【特許文献】
【０００６】
【特許文献１】特表２００９―５２７０４４号公報
【発明の概要】
【発明が解決しようとする課題】
【０００７】
しかしながら、特定用途向けに作られたシステムであるがゆえに特定のＡＴＲのみが有効な値として設定（つまり、設定可能なＡＴＲが限定）されてしまうと、ＩＣカードは本来持ち合わせている全ての通信性能をISO/IEC 7816-3 に従って外部機器へ通知することができなくなってしまうため、高速通信機能を持った機器同士が接続されていたとしても、それを認識する手段を失ってしまう。
【０００８】
そこで、本発明は、上記点等に鑑みてなされたものであり、設定可能なＡＴＲが限定された場合であっても、最適な通信設定へと変更して後続する一連の処理を最適な通信設定の下に実施することが可能な通信システム、ＩＣカード、ＩＣカードの処理プログラム、及び通信方法を提供することを目的とする。
【課題を解決するための手段】
【０００９】
上記課題を解決するために、請求項１に記載の発明は、外部機器との間で通信可能なＩＣカードを備える通信システムであって、前記ＩＣカードは、前記ＩＣカードの識別情報と、特定用途向け用の第１の通信設定情報とを予め記録する記録手段と、前記外部機器からリセット信号を受信すると、前記第１の通信設定情報を含む初期応答を該外部機器へ送信する応答手段と、前記初期応答を受信した前記外部機器からＩＣカードの識別情報読出命令を受信すると、前記ＩＣカードの識別情報を該外部機器へ送信する識別情報送信手段と、を備え、前記外部機器は、前記ＩＣカードへ前記リセット信号を送信するリセット信号送信手段と、前記ＩＣカードから前記初期応答を受信すると、前記ＩＣカードの識別情報読出命令を該ＩＣカードへ送信する読出命令送信手段と、前記ＩＣカードから前記ＩＣカードの識別情報を受信すると、受信した該識別情報から通信設定変更の可否を判定する判定手段と、前記判定手段により通信設定変更が可能であると判定された場合、前記初期応答に含まれる前記第１の通信設定情報とは異なる第２の通信設定情報を含む通信設定変更要求を前記ＩＣカードへ送信する変更要求送信手段と、を備え、前記ＩＣカードは、前記外部機器から前記通信設定変更要求を受信すると、前記通信設定変更要求に含まれる前記第２の通信設定情報に従って通信設定を変更する変更手段を備えることを特徴とする。
【００１０】
請求項２に記載の発明は、請求項１に記載の通信システムにおいて、前記通信設定情報は、通信速度と通信プロトコルの少なくとも何れか一方の情報を示すことを特徴とする。
【００１１】
請求項３に記載の発明は、外部機器との間で通信可能なＩＣカードであって、前記ＩＣカードの識別情報と、特定用途向け用の第１の通信設定情報とを予め記録する記録手段と、前記外部機器からリセット信号を受信すると、前記第１の通信設定情報を含む初期応答を該外部機器へ送信する応答手段と、前記初期応答を受信した前記外部機器からＩＣカードの識別情報読出命令を受信すると、前記ＩＣカードの識別情報を該外部機器へ送信する識別情報送信手段と、前記識別情報を受信した前記外部機器により該識別情報から通信設定変更が可能であると判定されたときに該外部機器から、前記初期応答に含まれる前記第１の通信設定情報とは異なる前記第２の通信設定情報を含む通信設定変更要求を受信すると、前記通信設定変更要求に含まれる前記第２の通信設定情報に従って通信設定を変更する変更手段と、を備えることを特徴とする。
【００１２】
請求項４に記載の発明は、外部機器との間で通信可能なＩＣカードであって、前記ＩＣカードの識別情報と特定用途向け用の第１の通信設定情報とを予め記録するＩＣカードに含まれるコンピュータに、前記外部機器からリセット信号を受信すると、前記第１の通信設定情報を含む初期応答を該外部機器へ送信するステップと、前記初期応答を受信した前記外部機器からＩＣカードの識別情報読出命令を受信すると、前記ＩＣカードの識別情報を該外部機器へ送信するステップと、前記識別情報を受信した前記外部機器により該識別情報から通信設定変更が可能であると判定されたときに該外部機器から、前記初期応答に含まれる前記第１の通信設定情報とは異なる前記第２の通信設定情報を含む通信設定変更要求を受信すると、前記通信設定変更要求に含まれる前記第２の通信設定情報に従って通信設定を変更するステップと、を実行させることを特徴とする。
【００１３】
請求項５に記載の発明は、外部機器との間で通信可能なＩＣカードであって、前記ＩＣカードの識別情報と特定用途向け用の第１の通信設定情報とを予め記録するＩＣカードを備える通信システムにおける通信方法であって、前記外部機器が、前記ＩＣカードへリセット信号を送信するステップと、前記ＩＣカードが、前記外部機器から前記リセット信号を受信すると、前記第１の通信設定情報を含む初期応答を該外部機器へ送信するステップと、前記外部機器が、前記ＩＣカードから前記初期応答を受信すると、前記ＩＣカードの識別情報読出命令を該ＩＣカードへ送信するステップと、前記ＩＣカードが、前記外部機器からＩＣカードの識別情報読出命令を受信すると、前記ＩＣカードの識別情報を該外部機器へ送信するステップと、前記外部機器が、前記ＩＣカードから前記ＩＣカードの識別情報を受信すると、受信した該識別情報から通信設定変更の可否を判定するステップと、前記外部機器が、前記通信設定変更が可能であると判定した場合、前記初期応答に含まれる前記第１の通信設定情報とは異なる第２の通信設定情報を含む通信設定変更要求を前記ＩＣカードへ送信するステップと、前記ＩＣカードが、前記外部機器から前記通信設定変更要求を受信すると、前記通信設定変更要求に含まれる前記第２の通信設定情報に従って通信設定を変更するステップと、を含むことを特徴とする。
【発明の効果】
【００１４】
本発明によれば、設定可能なＡＴＲが限定された場合であっても、最適な通信設定へと変更して後続する一連の処理を最適な通信設定の下に実施することができる。
【図面の簡単な説明】
【００１５】
【図１】本実施形態に係るＩＣカードの発行処理システムＳの概要構成例を示すブロック図である。
【図２】ＩＣカード１の発行処理システムＳにおけるＩＣカード１の発行処理を示すシーケンス図である。
【発明を実施するための形態】
【００１６】
以下、図面を参照して本発明の実施形態について詳細に説明する。以下に説明する実施形態は、ＩＣカードの発行処理システムに対して本発明を適用した場合の実施の形態である。
【００１７】
先ず、図１を参照して、本実施形態に係るＩＣカードの発行処理システムの構成及び機能等について説明する。図１は、本実施形態に係るＩＣカードの発行処理システムＳの概要構成例を示すブロック図である。図１に示すように、ＩＣカードの発行処理システムＳは、発行対象となるＩＣカード１と、発行装置（発行機）２とを備えて構成される。ＩＣカード１は、発行装置２との間で低速通信と高速通信との何れかを選択して設定可能になっている。ＩＣカード１は、金融、通信、交通等の様々な分野で用いられるＩＣカードの他、携帯電話機やスマートホン等の携帯端末に搭載されるＩＣカードとして適用可能である。発行装置２は、ＩＣカード１から情報を読み取る読取装置（リーダライタ）としての機能を有し、ＩＣカード１の対向機器である外部機器の一例である。発行装置２は、発行対象となるＩＣカード１へ発行データを書き込んで発行させる発行処理を行う装置である。発行装置２の制御部は、本発明におけるリセット信号送信手段、読出命令送信手段、判定手段、及び変更要求送信手段等として機能し、後述する処理を実行する。
【００１８】
ＩＣカード１に搭載されるＩＣチップＣは、図１に示すように、信号処理を担うＣＰＵ(Central Processing Unit)１１、ＲＯＭ(Read Only Memory)１２、不揮発性メモリ（例えばフラッシュメモリやＥＥＰＲＯＭ）１３、データを一時記憶するＲＡＭ(Random Access Memory)１４、及びＩ／Ｏポート（入出力ポート）１５等を備えている。Ｉ／Ｏポート１５は、図１に示すように、ＩＳＯ／ＩＥＣ７８１６等によって定められた、Ｃ１〜Ｃ８の８個の端子を有する。ここで、Ｃ１端子は電源端子（ＶＣＣ）であり、Ｃ５端子はグランド端子（ＧＮＤ）である。また、Ｃ２端子は、リセット端子（ＲＳＴ）であり、読取装置２からリセット信号を入力するために用いられる。また、Ｃ３端子は、クロック端子（ＣＬＫ）であクロック信号を入力するために用いられる。Ｃ７端子は、読取装置２との間のインターフェイスを担う端子であり、読取装置２との間の通信のために用いられる。
【００１９】
ＲＯＭ１２又は不揮発性メモリ１３には、オペレーティングシステム、及び本発明の処理プログラムが予め記憶されている。また、ＲＯＭ１２又は不揮発性メモリ１３は、本発明における記録手段として、ＩＣカード１の識別情報と、特定用途向け用の第１の通信設定情報とを予め記録する。この第１の通信設定情報は、ＡＴＲの設定から影響を受けないように記録される。通信設定情報は、通信速度と通信プロトコルの少なくとも何れか一方の情報を示す。ＣＰＵ１１は、本発明の処理プログラムを実行することにより、本発明における応答手段、識別情報送信手段、及び変更手段等として機能し、後述する処理を実行する。
【００２０】
次に、図２を参照して、本実施形態に係るＩＣカード１の発行処理システムの動作について、実施例１と実施例２とに分けて説明する。図２は、ＩＣカード１の発行処理システムＳにおけるＩＣカード１の発行処理を示すシーケンス図である。
（実施例１）
実施例１では、特定用途向けＩＣカード１の発行処理システムＳにおいて使用されるＩＣカード１は、発行処理前の状態であっても出荷後の実使用を想定して、例えば、「通信速度9600bps・通信設定変更不可」を示すＡＴＲが出力されるように設定されているものとする。 加えて、ＡＴＲの設定値はＩＣカード１の通信設定情報と内部的に連動しておらず、ＩＣカード１は、例えば「115000bps」 による通信をサポートしているものとする。
【００２１】
図２において、先ず、発行装置２は、ＩＣカード１へリセット信号を送信する（ステップＳ１）。ＩＣカード１は、発行装置２からリセット信号を受信すると（ステップＳ２）、通信速度を「9600bps」 に設定し、「通信速度9600bps・通信設定変更不可」を示す通信設定情報を含むＡＴＲ（特定用途向け用の第１の通信設定情報を含む初期応答の一例）を発行装置２へ送信する（ステップＳ３）。
【００２２】
発行装置２は、ＩＣカード１からＡＴＲを受信すると（ステップＳ４）、ＩＣカード１の識別情報読出命令をＩＣカード１へ送信する（ステップＳ５）。ＩＣカード１は、発行装置２からＩＣカード１の識別情報読出命令を受信すると（ステップＳ６）、ＩＣカード１の識別情報を例えば不揮発性メモリ１３から読出し、これを発行装置２へ送信する（ステップＳ７）。
【００２３】
発行装置２は、ＩＣカード１からＩＣカード１の識別情報を受信すると（ステップＳ８）、受信した識別情報から通信設定変更の可否を判定する（ステップＳ９）。例えば、発行装置２は、ＩＣカードの識別情報と、ＩＣカードがサポートする通信設定情報とを識別情報ごとに対応付けて登録する通信設定変更情報テーブルを予め記憶している。そして、発行装置２は、ＩＣカード１から読み出された識別情報をキーとして、通信設定変更情報テーブルから該当する通信設定情報を検索する。これにより、発行装置２は、例えば上記受信したＡＴＲに示される通信速度「9600bps」より速い通信速度がＩＣカード１の識別情報に対応付けられて登録されている場合、受信した識別情報から通信設定変更が可能であると判定する。通信設定変更が可能であると判定された場合（ステップＳ９：可能）、ステップＳ１０へ進む。一方、通信設定変更が不可能であると判定された場合（ステップＳ９：不可能）、ステップＳ１７へ進む。
【００２４】
ステップＳ１０では、発行装置２は、ＩＣカード１の通信設定情報（第１の通信設定情報とは異なる第２の通信設定情報）を、通信設定変更情報テーブルから特定する。こうして特定される通信設定情報は、ＩＣカード１の通信性能である。次いで、発行装置２は、特定した通信設定情報から、例えばＩＣカード１がサポートする最高通信速度「115000bps」を選択し、これを通信設定変更要求に付加して、ＩＣカード１へ送信する（ステップＳ１１）。つまり、受信したＡＴＲに示される通信速度「9600bps」とは異なる通信速度「115000bps」を示す通信設定情報を含む通信設定変更要求がＩＣカード１へ送信される。ＩＣカード１は、発行装置２から通信設定変更要求を受信すると（ステップＳ１２）、通信設定変更完了通知を発行装置２へ送信する（ステップＳ１３）。次いで、ＩＣカード１は、受信した通信設定変更要求に含まれる通信設定情報に従って通信設定を変更する（ステップＳ１４）。例えば、通信速度「9600bps」が通信速度「115000bps」に変更される。
【００２５】
発行装置２は、ＩＣカード１から通信設定変更完了通知を受信すると（ステップＳ１５）、ステップＳ１１で送信した通信設定変更要求に含まれる通信設定情報（通信速度「115000bps」を示す）に従って通信設定を変更し（ステップＳ１６）、ステップＳ１７へ進む。以降の発行処理は、例えば通信速度「115000bps」 にて実施されるため、高速に発行処理することが可能になる。
【００２６】
（実施例２）
実施例２では、特定用途向けＩＣカード１の発行処理システムＳにおいて使用されるＩＣカード１は、発行処理前の状態であっても出荷後の実使用を想定して、例えば、「通信プロトコルＴ＝１・通信速度9600bps・通信設定変更不可」を示すＡＴＲが出力されるように設定されているものとする。 加えて、ＡＴＲの設定値はＩＣカード１の通信設定情報と内部的に連動しておらず、ＩＣカード１は、例えば「通信プロトコルＴ＝１またはＴ＝０・最高通信速度115000bps」による通信をサポートしているものとする。
【００２７】
図２において、実施例１と同様、ＩＣカード１は、発行装置２からリセット信号を受信すると（ステップＳ２）、通信プロトコルをＴ＝１に設定し、通信速度を「9600bps」に設定し、「通信プロトコルＴ＝１・通信速度9600bps・通信設定変更不可」を示す通信設定情報を含むＡＴＲ（特定用途向け用の第１の通信設定情報を含む初期応答の一例）を発行装置２へ送信する（ステップＳ３）。なお、ステップＳ４〜Ｓ１０の処理は、実施例１と同様である。
【００２８】
次いで、発行装置２は、特定した通信設定情報（「通信プロトコルＴ＝１またはＴ＝０・最高通信速度115000bps」を含む）から、例えばＩＣカード１がサポートする「通信プロトコルＴ＝０・通信速度115000bps」を選択し、これを通信設定変更要求に付加して、ＩＣカード１へ送信する（ステップＳ１１）。つまり、受信したＡＴＲに示される通信プロトコル「Ｔ＝１」及び通信速度「9600bps」とは異なる通信プロトコル「Ｔ＝０」及び通信速度「115000bps」を示す通信設定情報を含む通信設定変更要求がＩＣカード１へ送信される。そして、ＩＣカード１は、発行装置２から通信設定変更要求を受信すると（ステップＳ１２）、通信設定変更完了通知を発行装置２へ送信し（ステップＳ１３）、受信した通信設定変更要求に含まれる通信設定情報に従って通信設定を変更する（ステップＳ１４）。例えば、通信プロトコル「Ｔ＝１」及び通信速度「9600bps」が、通信プロトコル「Ｔ＝０」及び通信速度「115000bps」に変更される。以降の発行処理は「通信プロトコルＴ＝０・通信速度115000bps」にて実施される。これにより、Ｔ＝０にて動作する発行装置２が、Ｔ＝１のサポートを示すＩＣカード１を高速に発行処理することが可能になる。
【００２９】
以上説明したように、上記実施形態によれば、設定可能なＡＴＲが限定されたＩＣカード１（例えば、特定用途向けに設定され、ISO/IEC 7816-3 に定義された手順による通信設定変更ができないように設定された）ＩＣカード１であっても、発行装置２がＩＣカード１の通信性能を判別し、最適な通信設定へと変更することにより、後続する一連の処理を最適な通信設定の下に実施することができる。
【符号の説明】
【００３０】
１  ＩＣカード
２  発行装置
１１  ＣＰＵ
１２  ＲＯＭ
１３  不揮発性メモリ
１４  ＲＡＭ
１５  Ｉ／Ｏポート
Ｓ  発行処理システム
【図１】
2014071528.tif 000003
【図２】
2014071528.tif 000004